(57)【要約】本発明の方法は、二次元ＳＣＩＰＥＲ符号化情報を有するトラック（１１，２１）を有する光ディスク（２）から情報を読み取るために開示されたものである。その方法は、少なくとも１つの光ビーム（３２）を発生する段階と、光ディスク（２）の情報層において焦点（Ｆ）の状態で光ビーム（３２）をフォーカシングする段階と、焦点（Ｆ）が２つの隣接トラック（１１，２１）のピット（１０，２０）をカバーするように焦点（Ｆ）の半径方向の位置を制御する段階とを有する。焦点（Ｆ）の光中心（４２）は、２つの隣接トラック（１１，２１）の間の正確に中央の位置の中央線（４４）に対して半径方向にオフセットされる軌跡（４５）に従う。その方法に従って、非線形のシンボル間干渉による攪乱は二次元ＳＣＩＰＥＲの多値アイパターンから取り除かれる。
2007511025.tif 000002
【特許請求の範囲】
【請求項１】
光ディスクから情報を読み取るための方法であって、前記情報は実質的に六方パターンに従って配置している名目のピット中心を有するピットにおけるピットエッジ記録に従って記憶され、前記ピット中心はトラックの実質的に円形の中心線を規定する、方法であり：
少なくとも１つの光ビームを発生する段階；
前記光ディスクの情報層における少なくとも１つの焦点に前記光ビームをフォーカシングする段階；及び
２つの隣接トラックの２つの中心線の間に位置する軌跡に従うように前記焦点の光中心の半径方向の位置を制御する段階であって、前記焦点は前記の２つの隣接トラックのピットをカバーするような大きさを有する、段階；
を有する方法であり、
前記軌跡と前記の２つの中心線の第１の中心線との間の半径方向の距離は、前記軌跡と前記の２つの中心線の第２の中心線との間の半径方向の距離と異なる；
ことを特徴とする方法。
【請求項２】
請求項１に記載の方法であって、前記軌跡は前記の２つの中心線の間の正確に中央の位置の中央線に対する半径方向スポット軌跡オフセットを有し、前記半径方向スポット軌跡オフセットは０．１・ＴＰに略等しく、ＴＰは前記の２つの中心線の間の半径方向の距離である、ことを特徴とする方法。
【請求項３】
請求項１に記載の方法であって：
前記ディスクから反射された光を検出する段階；及び
検出器出力信号に存在する情報を得るために前記検出器出力信号を復号化するように前記の反射された光を表す前記検出器出力信号を処理する段階；
を更に有する、ことを特徴とする方法。
【請求項４】
請求項３に記載の方法であって：
検出器出力信号は、前記焦点の前記光中心が第１トラックのピット中心と半径方向にアライメントされているとき、第１サンプリング位相でサンプリングされ、そして、検出器出力信号は、前記焦点の前記光中心が第２トラックのピット中心と半径方向にアライメントされているとき、第１サンプリング位相でサンプリングされ；
前記第１サンプリング位相において、前記焦点の前記光中心と前記第１トラックとの間の前記半径方向の距離は０．５・ＴＰより大きく；
前記第２サンプリング位相において、前記焦点の前記光中心と前記第２トラックとの間の前記半径方向の距離は０．５・ＴＰより大きく；そして
ＴＰは前記の２つの中心線の間の半径方向の距離である；
ことを特徴とする方法。
【請求項５】
請求項４に記載の方法であって、前記ディスクは１つの光スポットのみを用いて走査され、前記第１サンプリング位相におけるサンプリングのために、前記焦点の前記光中心の前記半径方向の位置は、少なくとも１回のディスク回転中、前記第２トラックに近い軌跡に従うように制御され、そして、前記第２サンプリング位相におけるサンプリングのために、前記焦点の前記光中心の前記半径方向の位置は、少なくとも１回のディスク回転中、前記第１トラックに近い軌跡に従うように制御される、ことを特徴とする方法。
【請求項６】
請求項５に記載の方法であって：
１回のディスク回転中、前記第１サンプリング位相から信号サンプルを得る段階；
前記第１サンプリング位相からの前記信号サンプルを記憶する段階；
１回のディスク回転中、前記第２サンプリング位相から信号サンプルを得る段階；
前記第１サンプリング位相からの前記信号サンプルと前記第２サンプリング位相からの前記信号サンプルとを多重化する段階；並びに
前記第１サンプリング位相及び前記第２サンプリング位相から前記の多重化された信号サンプルを共に処理する段階；
を更に有する、ことを特徴とする方法。
【請求項７】
請求項４に記載の方法であって：
前記ディスクは少なくとも２つの光スポットを用いて走査され、第１焦点の前記光中心の前記半径方向の位置は前記第１トラックに近い第１軌跡に従って制御され、そして、第２焦点の前記光中心の前記半径方向の位置は前記第２トラックに近い第２軌跡に従って制御され；
前記第１サンプリング位相におけるサンプリングのために、前記第２焦点から得られる読み取り信号がサンプリングされ、そして、前記第２サンプリング位相におけるサンプリングのために、前記第１焦点から得られる読み取り信号がサンプリングされる；
ことを特徴とする方法。
【請求項８】
請求項７に記載の方法であって、前記焦点の少なくとも１つの前記読み取り信号が他の読み取り信号に対してバッファリング又は遅延される、ことを特徴とする方法。
【請求項９】
請求項７に記載の方法であって、前記２つの焦点は、例えば、回折格子等の分離装置を用いて、単一のレーザビームを分離することにより生成される、ことを特徴とする方法。
【請求項１０】
ディスクドライブ装置であって、光ディスクから情報を読み取るために、前記情報は実質的に六方パターンに従って配置された名目のピット中心を有するピットにおけるピットエッジ記録に従って記憶され、前記ピット中心はトラックの実質的に円形の中心線を規定し、前記装置は請求項１に記載の方法を実行するようにデザインされている、ことを特徴とするディスクドライブ装置。
【請求項１１】
請求項１０に記載のディスクドライブ装置であって：
前記ディスクのトラックを走査するために２つの焦点を生成するための光学システム；
前記２つの焦点の位置決めを制御するためのアクチュエータ；及び
前記アクチュエータを制御するための制御器；
を有するディスクドライブ装置であり、
第１焦点の前記光中心が隣接トラックの前記２つの中心線の間の第１軌跡に従い、前記第１軌跡は前記トラックの第１の一に近い一方、第２焦点の前記光中心が前記２つの中心線の間の第２軌跡に従い、前記第２軌跡は前記トラックの他の一に近い；
ことを特徴とするディスクドライブ装置。
【請求項１２】
請求項１１に記載のディスクドライブ装置であって：
前記第１焦点から反射した光を受け且つ第１読み取り信号を生成するための第１光検出器；
前記第２焦点から反射した光を受け且つ第２読み取り信号を生成するための第２光検出器；
前記第１読み取り信号に対して前記第２読み取り信号を遅延させるための遅延手段；及び
前記の遅延された第２読み取り信号と共に前記第１読み取り信号を処理するための処理手段；
を更に有する、ことを特徴とするディスクドライブ装置。
【請求項１３】
請求項１１に記載のディスクドライブ装置であって、前記光学システムは、共通のレーザビームを発生するレーザ源と、前記共通のレーザビームを少なくとも２つの別個のビームに分離するために備えられている、例えば、回折格子等のビーム分離装置とを有する、ことを特徴とするディスクドライブ装置。
【請求項１４】
請求項１３に記載のディスクドライブ装置であって、前記ビーム分離装置は前記２つの焦点の前記位置決めを調節するために調節可能である、ことを特徴とするディスクドライブ装置。
【請求項１５】
請求項１１に記載のディスクドライブ装置であって：
前記第１軌跡と前記２つの隣接トラックの間の正確に中央の位置の中央線との間の半径方向のオフセットはＴＰ／２より小さく、ここで、ＴＰは前記２つの中心線の間の前記半径方向の距離であり；そして
前記第２軌跡と前記中央線との間の前記半径方向のオフセットはＴＰ／２より小さく；
前記オフセットは、好ましくは、０．１・ＴＰに略等しい；
ことを特徴とするディスクドライブ装置。
【発明の詳細な説明】
【技術分野】
【０００１】
本発明は、一般に、光記憶ディスクから情報を読み取るためのディスクドライブ装置に関する。以下、そのようなディスクドライブ装置は又、“光ディスク装置”と表される。
【背景技術】
【０００２】
周知であるように、光記憶ディスクは、バイナリ変調の場合の両方のビットタイプに対して物理マークを有する及び物理マークを有しないデータパターンの形で情報が記憶されることが可能である記憶空間の少なくとも１つのトラックを、連続螺旋の形か又は複数の同心円の形のどちらかで有する。光ディスクは読み取り専用タイプであることが可能であり、その場合、情報は製造過程で記録され、その情報はユーザに読み取られることのみが可能である。光記憶ディスクは又、書き込みタイプであることが可能であり、その場合、情報は又、ユーザにより記憶されることが可能である。光記憶ディスクの記憶空間に情報を書き込むために、又はディスクから情報を読み取るために、光ディスクドライブは、一方で、光ディスクを受け入れ且つ回転するための回転手段と、他方で、光ビームであって、代表的には、レーザビームを発生し、前記レーザビームで記憶トラックを走査するための光学手段とを有する。情報が光ディスクに記憶されることが可能であり、光学データが光ディスクから読み取られることが可能である光ディスクの技術は周知であるため、ここで、その技術についての詳細説明は省略する。
【０００３】
光ディスクにおいて記憶された情報を表すデータパターンは、代表的には、長楕円形のピットのパターンであり、それらのピットは連続的に配列していて、トラックを規定する。このトラックは、光ディスクに書き込まれるとき、一連の書き込み機構から得られる。ピットマーク及び非マークは、チャネルビット長Ｔと呼ばれる基本長さの整数倍の長さを有する。従来の光学的記憶においては、情報は、単位Ｔの状態で測定される連続的にマーク及び非マークの長さに符号化される。これは、ＣＤに対してはＥＦＭ符号をそしてＤＶＤに対してはＥＦＭＰｌｕｓ符号を有するランレングスリミテッド符号化（ＲＬＬ）の周知の領域である。
【０００４】
従来、情報は、ピットの長さ及び／又は隣接ピット間の距離を設定することにより符号化された。従って、ピットの位置は情報のコンテンツに応じて変化した。最近の開発においては、ピットは固定された位置に配列され、情報は、対応するピットの固定された名目の中心に対する前方エッジ及び後方エッジの位置に設定されることにより符号化される。そのような符号化システムはＳｉｇｎａｌ  Ｃａｒｒｉｅｒ  Ｉｎｄｅｐｅｎｄｅｎｔ  Ｐｉｔ  Ｅｄｇｅ  Ｒｅｃｏｒｄｉｎｇ（ＳＣＩＰＥＲ）と表される。このようなシステムについての更に詳細な説明は、米国特許第６，３９２，９７３号明細書においてなされている。
【０００５】
回転しているディスクを光学的に走査するために、光ディスクドライブは、光ビーム発生装置（代表的には、レーザダイオード）と、ディスク上の焦点に光ビームをフォーカシングするための対物レンズと、ディスクから反射した光を受けるため及び電気的検出器の出力信号を生成するための光検出器とを有する。検出器が受けた反射光の強度はディスクにおけるピット構造による入射光の干渉に依存する。そのような干渉は、例えば、破壊的であり、それ故、反射される光は少なくなり、光検出器におけるより少ない検出信号に繋がる。それ故、光検出器による電気信号強度変化に変換される反射光の強度変化は、ピットエッジ位置に、それ故、ディスクに記録される情報に対応する。
【０００６】
前記特許文献、米国特許第６，３９２，９７３号明細書に記載されている（例えば、前記文献の図９Ａを参照）ように、焦点スポットはトラックとアライメントされることが可能であり、それ故、光強度変化は１つのトラックのみのピットによりもたらされる。しかしながら、焦点スポットは２つの隣接トラックをカバーするように位置付けられることが又、可能であり（例えば、前記文献の図９Ｂ及び９Ｃを参照）、それ故、光強度変化は２つの隣接トラックのピットによりもたらされる。
【０００７】
前記特許文献、米国特許第６，３９２，９７３号明細書に記載されているシステムにおいては、ピットは、矩形状のレイアウトに従って配列され、即ち、隣接トラックのピットは互いに続いて配列されている。更に最近の開発においては、ピットのレイアウトは、ピットが六方パターンに従って配列され、即ち、１つのトラックのピットは隣接トラックの２つのピットの間に配列されている（例えば、文献、Ｆ．Ｙｏｋｏｇａｗａ，ＩＮＳＩＣ  Ｏｐｔｉｃｓ  Ｓｔｏｒａｇｅ  Ｒｏａｄｍａｐ，Ｓｉｇｎａｌ  Ｐｒｏｃｅｓｓｉｎｇ  ａｎｄ  Ｇｒａｙ―Ｓｃｔｉｏｎ  Ｒｅｐｏｒｔ，Ｊａｎ．２００３参照）。
【０００８】
図１は、ブルーレイディスクフォーマットに関する物理パラメータの場合について提案された構成の模式図である。ピットの第１行は参照番号１１で示され、ピットの第２行は参照番号２１で示されている。第１行１１のピットは第１行ピット１０として示されている。個々の第１行ピット１０は添え字ａ、ｂ、ｃ等により互いから区別される。同様に、第２行２１におけるピットは第２行ピット２０として示されていて、個々の第２行ピット２０は添え字ａ、ｂ、ｃ等により互いから区別される。各々のピット１０、２０は、所定の固定された名目上の中心又は中心ポイント１２、２２を有する。全ての第１行ピット１０の中心ポイントは第１トラックの中心線１３を規定する。全ての第２行ピット２０の中心ポイントは第２トラックの中心線２３を規定する。２つの隣接トラック１１及び２１のトラックの中心線１３及び２３の間の距離はトラックピッチＴＰとして示されている。ブルーレイディスク（開口率ＮＡ＝０．８５及び波長４０５ｎｍのブルーレーザを有する）についての物理パラメータに関連して提案されている構成において、トラックピッチＴＰは約２０５ｎｍである。
【０００９】
各々のピット１０、２０は、対応するトラックの中心線１３、２３に対して垂直に測定された幅ＰＷを有する。提案された構成においては、ピット幅ＰＷは約８０乃至１００ｎｍの範囲内にある（ブルーレイディスクに関連する物理パラメータに対して）。
【００１０】
１つのトラック１１の連続するピット１０の中心ポイントは隣接トラック２１の連続するピット２０の中心ポイントに関して移動され、それ故、隣接トラック２１へのピットの中心ポイントの半径方向の投影は、前記隣接トラック２１の２つの連続するピット２０の２つの中心ポイント間の実質的に正確に中央の位置に対応する。それ故、ピット１０、２０の中心ポイントは共に、六方格子を規定する。
【００１１】
１つのトラック１１、２１の連続するピット１０，２０の中心ポイント間の距離、即ち、接線方向又はトラックの方向において測定された距離は、ピットピッチＰＰとして表される。提案された構成においては、ピットピッチＰＰは約２３７ｎｍである。連続するトラックが同じ長さを有しない（長さの差は２π・ＴＰである）ことを考慮するために、ピットピッチＰＰは、六方配列を維持するように１つのトラックから次のトラックに僅かに増加する。トラックがオリジナルのピットピッチにおいて１つ又はそれ以上の付加的なピットを有することができるような程度までピッチピットが増加するとき、フォーマットにおける新しい“領域”は初期化され、その結果、ディスクのより大きい半径において又、局部的な密度は維持される。それ故、ディスクは複数の半径方向の領域を有し、各々のトラックにおけるピット数は領域毎に異なっている。
【００１２】
各々のピットは、ピット１０ａについて示しているように、第１エッジ１４及び第２エッジ１５を有する。第１エッジ１４と対応する中心ポイント１２との間の距離を前方距離ＤＦとして示している一方、第２エッジ１５と対応するピット１０ａの対応する中心ポイント１２との間の距離をＤＲとして示している。各々のエッジ１４、１５に対して、３つの有効なエッジの位置が存在し、それ故、前方距離ＤＦは３つの所定の値を取ることが可能である。同様なことが後方距離ＤＲに対して適用される。特に、提案された構成においては、前方距離ＤＦは、値、４４．５ｎｍ、５９．５ｎｍ、７４．５ｎｍを取ることができる。同様なことが後方距離ＤＲに対して適用される。それ故、各々のピットエッジ１４、１５は符号化された３値シンボル、即ち、３つの値を取ることができるシンボルを規定し、それらは、以下、０、１、２と表される。
【００１３】
トラック１１、２１は、約４０５ｎｍの波長を有する光ビームを用いて走査され（ＢＤシステムにおけるように）、ビームはスポットの直径ＳＤを有する実質的に円形のスポット４０にフォーカシングされる。走査方向は図１における矢印Ｖにより表されている。光ビームは、スポット４０が２つの隣接トラック１１、１２をカバーするように方向付けられている。図１は、光スポット４０が４つのシンボルであって、１つのトラックの１１のピット１０ｃの前方エッジ及び後方エッジと、隣接トラック２１のピット２０ｂの後方エッジと、隣接トラック２１のピット２０ｃの前方エッジとを同時にカバーすることを示している。それらのシンボルはそれぞれ、Ｓ１、Ｓ２、Ｓ３、Ｓ４と表されている。光学スポットがピットピッチＰＰの半分に対応する距離に対して移動される場合、光スポット４０は又、４つのシンボルであって、ここでは、前記隣接トラック２１のピットの前方エッジ及び後方エッジと、第１トラック１１の連続するピットの後方エッジと前方エッジとを同時にカバーする。
【００１４】
そのような符号化スキームの有利点は、非常に高いデータ密度が可能であることである。しかしながら、光検出器から受信される読み取り信号を復号化する処理において困難性が生じる。光スポットは４つのシンボルを同時にカバーするため、各々のシンボルは３つの値を取ることができる一方、８１個の組み合わせの可能性がある。光スポット４０から反射される光の量については、例えば、Ｓ１＝２であり、全ての他のシンボルが０であり、又は、例えば、Ｓ３＝２である一方、全ての他のシンボルが０であり、又は、例えば、Ｓ１＝Ｓ２＝１及びＳ３＝Ｓ４＝０であり、又は、Ｓ３＝Ｓ４＝１及びＳ１＝Ｓ２＝０であるに拘わらず、差が生じる。特に、そのような４つのシンボルの構成を走査するとき、図２に示すように、推測される出力信号に対して８１個の可能性が存在する。しかしながら、統合されたシンボルの値Ｓ１＋Ｓ２＋Ｓ３＋Ｓ４（上記の実施例においては２である）について得られた信号波形は９つのみの異なる信号レベルを反映する（Ｓ１＋Ｓ２＋Ｓ３＋Ｓ４は０乃至８の範囲内にあるため）。図２は出力信号に対して８１個の可能性全てを含むグラフである。そのようなグラフは多値“アイパターン”として示される。図２のアイパターンは、８１個の信号の可能性の間の区別が非常に困難であることを示している。これは、上記の９つの基本レベルへのレベルのファジークラスタリングとして理解される。これは、統合されたシンボルの値Ｓ１＋Ｓ２＋Ｓ３＋Ｓ４がそれらの場合に対して同等であるため、同じシンボルレベルになる必要がある異なる場合の非対称性によりもたらされる信号レベルにおける対称的な振幅ジッタとして説明される。それ故、復号化のエラーの確率は比較的高い。
【特許文献１】米国特許第６，３９２，９７３号明細書
【非特許文献１】ＩＮＳＩＣ  Ｏｐｔｉｃｓ  Ｓｔｏｒａｇｅ  Ｒｏａｄｍａｐ，Ｓｉｇｎａｌ  Ｐｒｏｃｅｓｓｉｎｇ  ａｎｄ  Ｇｒａｙ―Ｓｃｔｉｏｎ  Ｒｅｐｏｒｔ，Ｆ．Ｙｏｋｏｇａｗａ，Ｊａｎ．２００３
【発明の開示】
【発明が解決しようとする課題】
【００１５】
本発明の目的は、復号化エラーの確率が減少する二次元ＳＣＩＰＥＲ符号化情報を読み取るための方法を提供することである。
【００１６】
特に、本発明の目的は、有効な読み取り信号のアイパターンが改善された明確な区別可能なレベルを示すような二次元ＳＣＩＰＥＲ符号化情報を読み取るための方法を提供することである。
【課題を解決するための手段】
【００１７】
本発明の重要な特徴に従って、光スポットの中心が２つの隣接トラックの正確に中央の位置に対して半径方向にオフセットされる。好適な実施形態においては、２つの光スポットが用いられ、それらの一の光スポットは一方向においてオフセットされ、他の光スポットは反対方向においてオフセットされ、両者のオフセットの大きさは、好適には、実質的に等しい。
【００１８】
本発明の以上の及び他の特徴について、以下、図に関連付けて更に説明する。それらの図において、同じ参照番号は同一の又は類似する構成部分を示している。
【発明を実施するための最良の形態】
【００１９】
図３は、二次元ＳＣＩＰＥＲ符号化情報を有する光記憶ディスク２から情報を読み取るために適切である光ディスクドライブ装置１を模式的に示す図である。光ディスク２は、情報が二次元ＳＣＩＰＥＲデータパターンの形で記憶される記憶空間の、連続的螺旋の形か又は多重同心円の形のどちらかの状態にある少なくとも１つのトラック（簡略化のために図３に示していない）を有する。３６０°のトラック分解能当たりのデータピッチ数とピットパラメータを定義すると、ディスク２は、典型的には、複数の半径方向の領域を有し、１つの領域内の全てのトラックは同じピットパラメータを有し、隣接する領域におけるトラックは異なるピットパラメータを有する。
【００２０】
ディスク２を回転するために、ディスクドライブ装置１は、回転軸５を規定するフレーム（簡略化のために示していない）に固定されたモータ４を有する。ディスク２を受け入れ且つ支持するために、ディスクドライブ装置１はターンテーブル又はクランピングハブ６を有することが可能であり、スピンドルモータ４の場合、そのーンテーブル又はクランピングハブ６はモータ４のスピンドル軸７に取り付けられている。
【００２１】
ディスクドライブ装置１は、光ビームでディスク２のトラックを走査するための光学システム３０を更に有する。光学システム３０は、光ビーム発生手段３１であって、典型的には、光ビームを発生するように備えられているレーザダイオード等のレーザを有する。以下、光ビーム３２の光路の異なる部分を参照番号３２に添えられた文字ａ、ｂ、ｃ等で表している。
【００２２】
光ビーム３２は、ディスク２に（ビーム３２ｂが）達するように、ビームスプリッタ３３、コリメータレンズ３７及び対物レンズ３４を通る。対物レンズ３４は、ディスク２の情報層（簡略化のために示していない）に焦点スポットＦの状態で光ビーム３２ｂをフォーカシングするように設計されている。光ビーム３２ｂは、光検出器３５に達するようにディスク２から反射され（反射光ビーム３２ｃ）、対物レンズ３４、コリメータレンズ３７及びビームスプリッタ３３を通る（ビーム３２ｄ）。
【００２３】
動作中、光ビームはフォーカシングされたまま維持され、トラックを追従する必要がある。このために、対物レンズ３４は軸方向及び半径方向に移動可能であるように備えられ、光ディスクドライブ装置１はディスク２に対して対物レンズ３４を移動させるように備えられているアクチュエータシステム５２を有する。アクチュエータシステム自体は既知であり、更に、そのようなアクチュエータシステムのデザイン及び動作は本発明の主題でないため、ここでは、アクチュエータのデザイン及び動作についての詳細説明は省略する。
【００２４】
装置フレームに対して対物レンズを支持するための手段及び対物レンズを移動させるための手段自体は周知である。そのような支持手段及び移動手段のデザイン及び動作は本発明の主題でないため、ここでは、それらのデザイン及び動作についての詳細説明は省略する。
【００２５】
ディスクドライブ装置１は、光検出器システム３５かた読み取り信号ＳＲを受信するための読み取り信号入力部９１を有する信号処理回路９０を更に有する。信号処理回路９０は、データ信号ＳＤを導き出し、データ出力部９２にデータ信号ＳＤを供給するために読み取り信号ＳＲを処理するようにデザインされている。信号処理回路９０は、アクチュエータシステム５２のために制御信号ＳＣを生成し、制御出力部９４にそれらの制御信号ＳＣを供給するために読み取り信号ＳＲを処理するように更にデザインされている。
【００２６】
図４は、従来技術の状態について、図１に比較して、以下で詳述するトラックについて模式的に示している。図１においては、光スポットＦの中心が参照番号４２で示されている。波線４３はスポットの軌跡、即ち、光スポットの中心４２により追従される経路を示している。従来技術に従って、スポットの軌跡４３は、２つの隣接するトラック１１及び２１の中心線１３及び２３間の正確に中央に位置している。そのようなスポットの軌跡を用いると、図２のｉパターンが結果的に得られる。
【００２７】
図５は図４に相当する図であるが、ここでは、本発明に従って、以下に詳述するトラックについて示している。波線４４は、２つの隣接トラック１１及び２１の中心線１３及び２３間の正確に中央に位置している線である。以下、この線を中央線という。従来技術においては、スポットの軌跡は中央線４４と一致することを特に記しておく（図４参照）。破線４５は本発明に従ったスポットの軌跡を示している。スポットの軌跡は中央線４４に関して容易に移動（オフセット）することが明確に示されている。スポットの軌跡４５の半径方向のオフセットはＲＳＴＯとして示されている。最適であるように現れるＲＳＴＯについての非常に適切な値は、それ故、好適には、ＲＳＴＯ＝０．１・ＴＰ（考慮されるピットの（擬似）六方配列に対して、トラックピッチＴＰは０．５・√３・ＰＰに等しい）である。この値は、レーザ光の波長であるλを用いて、スケーリングファクタλ／２ＮＡでスケーリングされた距離に対して）二次元ＳＣＩＰＥＲ記憶システムの選択されたパラメータに適用され、又、半径方向の移動ＲＳＴＯの最適な値は、従って変化する。
【００２８】
図６は、０．１・ＴＰの半径方向のスポットの軌跡のオフセットと共にもたらされるアイパターンを示す、図２に相当するグラフである。横軸は、スポットの中心４２と基準点との間のトラック方向に傾向に測定され距離Ｄを表している。この基準点（Ｄ＝０）は、第１トラック１１、即ち、光スポットＦがオフセットされる、トラックの２つのピット（ピット１０ｂ及び１０ｃ）間の中央に位置付けられる。縦軸は、信号の大きさであって、任意単位で示されている。このアイパターンの理想的なサンプリング相であるＤ＝０の周りで、推測される信号は、容易に区別することが可能である９つの区別可能な鮮明なレベルの１つのみを取ることが可能であることがはっきりと分かる。それ故、従来技術に対して（図２に比べて）改善されたことは明らかである。
【００２９】
図６は、第１トラック１１の２つの半分のピットと第２トラック２１の１つのピット（例えば、ピット１０ｂの後方エッジ、ピット１０ｃの前方エッジ及びピット２０ｂの両方のエッジ）とに関連付けられ且つ他のピット及びピットエッジの全てを無視する４つのシンボルの組み合わせからもたらされるアイパターンを示していることを特に記しておく。その状態は、更なるピットが考慮される場合、より複雑になる。等化により第１隣接ピットの領域を超えるシンボル間干渉の効果を低減することができる。それにも拘らず、図６は、光スポットの中心が上記のように移動する場合、上記の４つのシンボルの組み合わせは従来のものに比べてより信頼性高く復号化されることを明確に示している。これは、図２のアイパターンにおけるファジーレベルに繋がる系統的なシンボル間干渉はレーザスポットの半径方向の位置をシフトさせることにより補償されたことを示している。
【００３０】
又、図６は、第１トラック１１の２つの半分のピットと第２トラック２１の１つのピットと（例えば、ピット１０ｂの後方エッジ、ピット１０ｃの前方エッジ及びピット２０ｂの両方のエッジ）に関連付けられる４つのシンボルの組み合わせからもたらされるアイパターンを示していることを特に記しておく。第２トラック２１の２つの半分のピットと第１トラック１１の１つのピットと（例えば、図１に示すようなシンボルＳ１、Ｓ２、Ｓ３、Ｓ４）に関連付けられる４つのシンボルの組み合わせを読み取ることに対しては、その状態は反対である。本発明に従ったそのような４つのシンボルの組み合わせの読み出しの改善は、光スポットが反対方向において即ち第２トラック２１の方に、半径方向にオフセットされるときに達成される。
【００３１】
原理的には、１つの光スポットを用いて本発明を実施することが可能である。それ故、２つのトラック１１及び２１の組み合わせを読み取ることは、第１トラック１１の方向にオフセットされる光スポットを用いる２つの走査回転と１つの回転と、反対方向にオフセットされる光スポットを用いる第２回転とを有する。両方のトラックのピットにおいて記録される情報を適切に復号化するために、第１回転の読み出し信号はトラックメモリにバッファリングされる必要があり、第２回転の読み出し信号との適切な結合のために第２回転中にこのトラックメモリから再読み取りされる必要がある。第１走査及び第２走査の信号は適切に多重化され、それ故、復号化及び信号処理はシンボル値を生成する。又は、両方の回転の読み出し信号は後の処理のために記憶される必要がある。
【００３２】
好適には、しかしながら、本発明は、図７に模式的に示すように、２つの光スポットと、第１トラック１１の方向にオフセットされる１つの光スポットと、反対方向にオフセットされる第２光スポットとを用いて実施され、ここでは、トラック方向に互いから実質的に位置がずれているそれぞれのスポットの中心４２及び４６を有する２つの光スポットＦ１及びＦ２が示されている。第１光スポットＦ１の光学中心４２は第１トラック１１（ＲＳＴＯ１）の方に半径方向にオフセットされる一方、第２光スポットＦ２の光学中心４６は第２トラック２１（ＲＳＴＯ２）の反対方向に半径方向にオフセットされ、両方のオフセットは、好適には、等しい大きさを有する（｜ＲＳＴＯ１｜＝｜ＲＳＴＯ２｜）。
【００３３】
図７においては、２つの光スポットＦ１及びＦ２それぞれの２つの光学中心４２間の接線距離（即ち、トラック軸１３及び２３の方向に沿って測定された）は、それらの２つの光スポットが部分的に重なり合うように比較的小さいように示されている。好適には、前記距離は非常に大きく、それ故、２つの光スポットＦ１及びＦ２は重なり合わない。適切な距離は、例えば、約１μｍのオーダーであり、本発明はこのような距離に限定されるものではない。実際には、２つの光スポットＦ１及びＦ２は、２つの別個のレーザ源により発生されることが可能であり、２つの別個の光学システムはディスクの回転軸５に関して１８０°反対方向に位置付けられていることが可能である。他方、費用を節約するために、２つの光スポットＦ１及びＦ２は１つの共通レーザにより、例えば、回折格子のような分割装置を用いてレーザビームを分割することにより発生されることが可能である。又、互いのビーム間距離が１０μｍのオーダーである場合、それらの２つのビームは１つの共通の光学レンズ系によりフォーカシングされる。回折格子を用いることによりビームを２つ又はそれ以上に分割すること自体は周知であるため、その技術についての詳細説明は省略する。
【００３４】
図７において、トラックの中心線１３及び２３は直線として示されている。実際には、しかしながら、トラックの中心線１３及び２３は曲線であり、それらの曲線の曲率半径は、ディスクの内径より小さく、ディスクの外径より大きい。従って、２つの光スポットＦ１及びＦ２の互いに対する理想的な方位は、内径から外径に進むときに適合される必要がある。これは、分割装置（即ち、回折格子）を僅かに回転させることにより容易に達成される。このような回折格子の回転はアクチュエータ及び関連サーボ制御手段により制御される。
【００３５】
図８は、トラック中心１３及び２３並びにピット中心１２（１）、１２（２）、１２（３）等及び２２（１）、２２（２）、２２（３）等の２つのシリーズそれぞれを示す、より小さいスケールにおける図１に相当する図である。それらのピット中心は、中央線４４上に投影され、読み取り位置６１（１）、６２（１）、６１（２）、６２（２）等が与えられ、ピット位置１２（ｉ）に対応する位置６１（ｉ）が読み取られ、そしてピット中心２２（ｉ）に対応する位置６２（ｉ）が読み取られる。それらの読み取られる位置は光読み取り信号ＳＲをサンプリングするための時間的な瞬間を規定し、それらの瞬間はサンプリングの瞬間又はサンプリングの位相として表されることを特に記しておく。
【００３６】
１つの光スポットのみを有する“通常の”二次元ＳＣＩＰＥＲの場合、サンプリング位相６１（ｉ）及び６２（ｉ）は断続的に走査される。光スポットが第１サンプリング位相６１（ｉ）に達したとき、光読み取り信号ＳＲは、第１トラック１１の方に方向付けられる上端を有する三角形を略規定する方向において位置付けられる４つのシンボルからの情報を有し、Ａで示されている。光スポットが第２サンプリング位相６２（ｉ）に達したとき、光読み取り信号ＳＲは、第２トラック２１の方に方向付けられる上端を有する三角形を略規定する方向において位置付けられる４つのシンボルからの情報を有し、Ｂで示されている。
【００３７】
サンプリング位相が１つの光スポットのみにより走査される従来技術においては、光読み取り信号ＳＲは、６１（１）、６２（１）、６１（２）、６２（２）、６１（３）、６２（３）等の順序で光検出器３５により得られる。本発明においては、第１サンプリング位相６１（ｉ）は第２光スポットＦ２により走査される一方、第２サンプリング位相６２（ｉ）は第１光スポットＦ１により走査される。第２光スポットＦ２により得られた光読み取り信号ＳＲ２から第１光スポットＦ１により得られた光読み取り信号ＳＲ１をはっきりと区別することができるように、光学システム３０は、好適には、２つの独立した光検出器１３５及び２３５を有し、図９に示すように、第１光検出器１３５は第１光スポットＦ１から反射された光を受け、第２光検出器２３５は第２光スポットＦ２から反射された光を受ける。
【００３８】
２つの光スポットＦ１及びＦ２間の接線方向の距離を考慮して、２つのサンプリング位相に関する読み取り信号間のタイミングの関係はシフトされる。例示としての実施例において、第２光スポットＦ２は第１光スポットＦ１に先行し、それ故、第１光スポットＦ１により得られる第１の光読み取り信号ＳＲ１は、第２光スポットＦ２により得られる第２の光読み取り信号ＳＲ２に対して遅れる。このようなタイミングの差を除去するように、第２の光読み取り信号ＳＲ２は、図９に示すように、信号処理器回路１９０において処理される前にバッファ又は遅延部２３６において遅延されることが可能である。
【００３９】
本発明は例示としての上記の実施形態に限定されるものではなく、同時提出の特許請求の範囲に記載されている本発明の保護範囲の範囲内で種々の変形及び修正が可能であることは、当業者には明らかであるに違いない。
【００４０】
上記のように、本発明について、本発明に従った装置の機能ブロックを示すブロック図を用いて説明した。１つ又はそれ以上のそれらの機能ブロックはハードウェアにおいて実施されることが可能であり、ハードウェアにおいて、そのような機能ブロックの機能は個々のハードウェアの構成要素により実行されるが、１つ又はそれ以上のそれらの機能ブロックがソフトウェアにより実施されることが又、可能であり、それ故、そのような機能ブロックの機能は、例えば、マイクロプロセッサ、マイクロコントローラ、ディジタル信号処理器等のプログラム可能装置又はコンピュータプログラムの１つ又はそれ以上のプログラムラインにより実行されることが可能である。
【図面の簡単な説明】
【００４１】
【図１】二次元ＳＣＩＰＥＲ構成の模式図である。
【図２】光スポットの中心が２つの隣接トラックの正確に中央に位置している軌跡を追従する通常の場合についての、図１の二次元ＳＣＩＰＥＲ構成についてのアイパターンを示すグラフである。
【図３】光ディスクドライブ装置の模式図である。
【図４】従来技術におけるトラックを追従する詳細を示す模式図である。
【図５】本発明に従ったトラックを追従する詳細を示す模式図である。
【図６】本発明に従って得られたアイパターンを示すグラフである。
【図７】本発明の好適な実施形態に従ったトラックを追従する詳細を示す模式図である。
【図８】本発明に従った二次元ＳＣＩＰＥＲ構成の模式図である。
【図９】光読み取り信号を検出し且つ光読み取り信号を処理するためのシステムの模式図である。
【図１】
2007511025.tif 000003
【図２】
2007511025.tif 000004
【図３】
2007511025.tif 000005
【図４】
2007511025.tif 000006
【図５】
2007511025.tif 000007
【図６】
2007511025.tif 000008
【図７】
2007511025.tif 000009
【図８】
2007511025.tif 000010
【図９】
2007511025.tif 000011
【国際調査報告】
2007511025.tif 000012
2007511025.tif 000013